【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
メディアコンテンツ情報を提供するシステムであって、
電子番組ガイド情報を受信し、他のソースから関連するコンテンツの収集をシードする情報処理装置を備えた、前記システム。
【請求項２】
前記情報処理装置は、関連するチャンネルに基づいて前記関連するコンテンツをキャッシュし、前記チャンネルが選択された場合に前記キャッシュされたコンテンツの取り出しを許可する、請求項１記載のシステム。
【請求項３】
前記情報処理装置は、電子番組ガイドに組み込まれる前記関連するコンテンツを提供する、請求項１記載のシステム。
【請求項４】
前記情報処理装置は、前記収集された関連するコンテンツから追加のコンテンツを作成する、請求項１記載のシステム。
【請求項５】
前記情報処理装置は、第１の画面に表示された電子番組ガイドに基づいて、少なくとも１つの追加のソースから関連するコンテンツを収集し、前記収集した関連するコンテンツを第２の画面に提供する、請求項１記載のシステム。
【請求項６】
前記情報処理装置は、少なくとも１つのユーザ入力に基づいて、少なくとも１つの追加のソースから追加のコンテンツを作成する、請求項１記載のシステム。
【請求項７】
前記ユーザ入力は、表示されたコンテンツとの関係における前記関連するコンテンツの結果のランキングと、ユーザの嗜好との関係における前記関連するコンテンツの結果のランキングとの少なくとも一方である、請求項６記載のシステム。
【請求項８】
前記電子番組ガイド情報は、現在表示されている電子番組ガイドと、現在選択されている前記電子番組ガイドのチャンネルの少なくとも一方である、請求項１記載のシステム。
【請求項９】
メディアコンテンツ情報を提供する方法であって、
電子番組ガイド情報を受信するステップと、 
前記電子番組ガイド情報によってシードされる補足情報が、少なくとも１つの追加のソースから取得可能であるかを判定するステップと、 
少なくとも１つの装置に表示するために前記補足関連情報を提供するステップと、
を含む、前記方法。
【請求項１０】
少なくとも１つの追加のソースから継続的に更新された補足関連情報を取得するステップと、
電子番組ガイドが第１の表示装置に表示されると、当該電子番組ガイドに関連する情報を少なくとも１つの第２の表示装置に動的に供給するステップと、
をさらに含む、請求項９記載の方法。
【請求項１１】
ＲＳＳ（Ｒｅａｌｌｙ  Ｓｉｍｐｌｅ  Ｓｙｎｄｉｃａｔｉｏｎ）フィードおよびクローズドキャプションサービスの少なくとも一方から補足関連情報を受信するステップをさらに含む、請求項１０記載の方法。
【請求項１２】
少なくとも１つ追加の情報ソースから補足関連情報を生成するステップをさらに含む、請求項９記載の方法。
【請求項１３】
前記生成された補足関連情報を少なくとも１つのユーザ入力に基づいて変更するステップをさらに含む、請求項１２記載の方法。
【請求項１４】
対話的な補足関連情報を、ユーザが追加の補足関連情報を選択することを可能にする少なくとも１つの表示装置に提供するステップをさらに含む、請求項９記載の方法。
【請求項１５】
メディアコンテンツ情報を提供するシステムであって、
電子番組ガイドに関する情報を受信する手段と、 
少なくとも１つの追加のソースから前記電子番組ガイド情報によってシードされる補足情報を取得する手段と、
表示するために、前記補足情報を処理する手段と、
を備えた、前記システム。
【手続補正２】
【補正対象書類名】明細書
【補正対象項目名】００２１
【補正方法】変更
【補正の内容】
【００２１】
上記の説明には、実施形態の複数の例が含まれている。勿論、実施形態を記載するという目的のために、コンポーネントまたは方法の考え得る全ての組み合わせを記載することは不可能であるが、当業者であれば、実施形態の多くのさらなる組み合わせおよび置換が可能であることが理解できるであろう。従って、本主題は、特許請求の範囲の精神および範囲内に入る全てのそのような変更、修正、および変形を包含するように意図されている。さらに、「含む」という用語は、発明の詳細な説明または特許請求の範囲のいずれかにおいて用いられる限りにおいて、当該用語は「備える」という用語と同じように他の構成要素を更に有し得ることを意味し、それは、請求項における変形語として使用される「備える」の解釈と同じであることが意図されている。
（付記１）
メディアコンテンツ情報を提供するシステムであって、
メディアコンテンツ情報を受信し、該受信したメディアコンテンツ情報に関連付けられた追加のコンテンツに関する情報を他のソースから抽出する情報処理装置を備えた、前記システム。
（付記２）
付記１記載のシステムを用いるセットトップボックス。
（付記３）
前記情報処理装置は、電子番組ガイドに組み込まれる関連する情報を提供する、付記１記載のシステム。
（付記４）
前記情報処理装置は、少なくとも１つの追加のソースからコンテンツ関連情報を導出する、付記１記載のシステム。
（付記５）
前記情報処理装置は、第１の画面に表示されたメディアコンテンツに基づいて、少なくとも１つの追加のソースからコンテンツ関連情報を抽出し、該抽出したコンテンツ関連情報を第２の画面に提供する、付記１記載のシステム。
（付記６）
前記情報処理装置は、少なくとも１つのユーザ入力に基づいて、少なくとも１つの追加のソースからコンテンツ関連情報を導出する、付記１記載のシステム。
（付記７）
前記ユーザ入力は、表示されたメディアコンテンツとの関係における前記コンテンツ関連情報の結果ランキングと、ユーザの嗜好との関係における前記コンテンツ関連情報の結果ランキングの少なくとも一方である、付記６記載のシステム。
（付記８）
前記メディアコンテンツ情報は、現在表示されているメディアコンテンツと、現在選択されているチャンネルの少なくとも一方である、付記１記載のシステム。
（付記９）
メディアコンテンツ情報を提供する方法であって、
メディアコンテンツ情報を受信するステップと、 
前記メディアコンテンツ情報に関連する補足情報が、少なくとも１つの追加のソースから取得可能であるかを判定するステップと、 
少なくとも１つの装置に表示するために前記補足情報を提供するステップと、
を含む、前記方法。
（付記１０）
少なくとも１つの追加のソースから継続的に更新された補足情報を取得するステップと、
メディアコンテンツが第１の表示装置に表示されると、当該メディアコンテンツに関連する情報を少なくとも１つの第２の表示装置に動的に供給するステップと、
をさらに含む、付記９記載の方法。
（付記１１）
ＲＳＳ（Ｒｅａｌｌｙ  Ｓｉｍｐｌｅ  Ｓｙｎｄｉｃａｔｉｏｎ）フィードおよびクローズドキャプションサービスの少なくとも一方から補足情報を受信するステップをさらに含む、付記１０記載の方法。
（付記１２）
少なくとも１つ追加の情報ソースから補足情報を生成するステップをさらに含む、付記９記載の方法。
（付記１３）
前記生成された補足情報を少なくとも１つのユーザ入力に基づいて変更するステップをさらに含む、付記１２記載の方法。
（付記１４）
対話的な補足情報を、ユーザが追加の補足情報を選択することを可能にする少なくとも１つの表示装置に提供するステップをさらに含む、付記９記載の方法。
（付記１５）
メディアコンテンツ情報を提供するシステムであって、
第１の画面に表示されているメディアコンテンツに関する情報を受信する手段と、 
少なくとも１つの追加のソースから前記メディアコンテンツに関する補足情報を取得する手段と、
少なくとも１つの第２の画面に表示するために、前記補足情報を処理する手段と、
を備えた、前記システム。